【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
回転軸（Ｒ）であって、その周りに回転方向（ＤＲ）を画定する回転軸（Ｒ）、対向する第一および第二の本体端面（２４ａ、２４ｂ）、およびその間に延在する本体周面（２６）を有する円盤状の切削本体（２２）と、
前記本体周面（２６）の周りで円周方向に離間された複数の同一のインサート受容ポケット（２８）、およびその内部に取り外し可能に保持された同数の同一の割出し可能な切削インサート（３０）と、
を備え、
各インサート受容ポケット（２８）は、前記第一および第二の本体端面（２４ａ，２４ｂ）に開口し、座面（３２）と、前記座面（３２）に対して横方向をなす背壁（３４）を有し、
各切削インサート（３０）は、対向する上面および下面（４２、４４）と、それらの間にインサート周面（４６）と、それを通って延在するインサート軸（Ａ１）を有し、前記インサート周面（４６）は、対向する第一および第二のインサート側面（５６ａ、５６ｂ）によって離間された対向する第一および第二のインサート端面（５４ａ、５４ｂ）を有し、第一および第二の切れ刃（５８ａ、５８ｂ）は、それぞれ前記上面（４２）と前記第一および第二のインサート端面（５４ａ、５４ｂ）との交点に形成される、切削工具（２０）において、
各切削インサートの下面（４４）は、そのそれぞれのインサート受容ポケット（２８）の前記座面（３２）に接触し、
円周方向に隣接する切削インサート（３０）は、それらのそれぞれのインサート受容ポケット（２８）の前記背壁（３４）に接触するそれらの第一および第二のインサート端面（５４ａ、５４ｂ）とは異なる一方を有し、
前記回転軸（Ｒ）に垂直な中央平面（Ｍ）は、前記本体周面（２６）と交差し、
第一および第二の平面（Ｐ１、Ｐ２）は、それぞれ前記中央平面（Ｍ）の対向する第一および第二の側面（Ｓ１、Ｓ２）から等距離にオフセットされ、
前記第一の平面（Ｐ１）は、第一の交点（Ｉ１）で円周方向に交互に並ぶ切削インサートの前記第一の切れ刃（５８ａ）とのみ交差し、前記第二の切れ刃（５８ｂ）のいずれとも交差せず、
前記第二の平面（Ｐ２）は、第二の交点（Ｉ２）で円周方向に交互に並ぶ切削インサートの前記第二の切れ刃（５８ｂ）とのみ交差し、前記第一の切れ刃（５８ａ）のいずれとも交差しない、切削工具（２０）。
【請求項２】
前記本体周面（２６）は、全部でＮ個のインサート受容ポケット（２８）を有し、前記回転軸（Ｒ）を中心としてＮ回の回転対称性を呈する、請求項１に記載の切削工具（２０）。
【請求項３】
前記第一および第二の平面（Ｐ１、Ｐ２）と交差する前記第一および第二の切れ刃（５８ａ、５８ｂ）は、それぞれ作動し、前記背壁（３４）と接触せずに、それぞれ第一および第二のインサート端面（５４ａ、５４ｂ）と関連する、請求項１または２に記載の切削工具（２０）。
【請求項４】
各インサート受容ポケットの座面（３２）は、床面（３６）と、それを横切る第一および第二の横方向支持面（３８ａ、３８ｂ）とを有し、前記第一および第二の横方向支持面（３８ａ、３８ｂ）は、それぞれ前記中央平面（Ｍ）の前記第一および第二の側面（Ｓ１、Ｓ２）上に位置し、
各切削インサートの下面（４４）は、軸受面（５０）と、それを横切る第一および第二の下部当接面（５２ａ、５２ｂ）を有し、
各切削インサート（３０）の前記第一の下部当接面（５２ａ）は、作動するその第一の切れ刃（５８ａ）を有し、前記中央平面（Ｍ）の第一および第二の側面（Ｓ１、Ｓ２）の一方に位置する前記第一および第二の横方向支持面（３８ａ、３８ｂ）の一方と接触し、
各切削インサート（３０）の前記第二の下部当接面（５２ｂ）は、作動するその第二の切れ刃（５８ｂ）を有し、前記中央平面（Ｍ）の前記第一および第二の側面（Ｓ１、Ｓ２）の他方に位置する前記第一および第二の横方向支持面（３８ａ、３８ｂ）の一方と接触する、請求項３に記載の切削工具（２０）。
【請求項５】
各切削インサート（３０）の前記第二の下部当接面（５２ｂ）は、作動するその第一の切れ刃（５８ａ）を有し、前記第一および第二の横方向支持面（３８ａ、３８ｂ）のいずれとも接触せず、
各切削インサート（３０）の前記第一の下部当接面（５２ａ）は、作動するその第二の切れ刃（５８ｂ）を有し、前記第一および第二の横方向支持面（３８ａ、３８ｂ）のいずれとも接触しない、請求項４に記載の切削工具（２０）。
【請求項６】
前記切削インサート（３０）のうちの１つの底面図において、
前記第一および第二の下部当接面（５２ａ、５２ｂ）は、鈍角の第一の傾斜角（α１）を形成する、請求項４または５に記載の切削工具（２０）。
【請求項７】
前記床面（３６）と前記第一および第二の横方向支持面（３８ａ，３８ｂ）とは、前記座面（３２）の中央凹部（４０）内に形成され、前記第一および第二の横方向支持面（３８ａ，３８ｂ）が互いに向き合い、
前記軸受面（５０）と前記第一および第二の下部当接面（５２ａ，５２ｂ）とは、前記下面（４４）から突出する中央ボス（５１）上に形成される、請求項４〜６のいずれか一項に記載の切削工具（２０）。
【請求項８】
各切削インサート（３０）の前記第一の下部当接面（５２ａ）は、作動するその第一の切れ刃（５８ａ）を有し、前記第二の横方向支持面（３８ｂ）と接触し、
各切削インサート（３０）の前記第二の下部当接面（５２ｂ）は、作動するその第二の切れ刃（５８ｂ）を有し、前記第一の横方向支持面（３８ａ）と接触する、請求項４〜７のいずれか一項に記載の切削工具（２０）。
【請求項９】
インサート軸（Ａ１）に垂直で、切削インサート（３０）のうちの一つのインサート周面（４６）と交差する水平面（ＰＨ）で取られた断面において、
第一のインサート端面（５４ａ）と第一および第二のインサート側面（５６ａ、５６ｂ）との交点に形成された第一および第二の周辺コーナー点（ＮＣ１、ＮＣ２）は、それぞれ、仮想鋭角台形（Ｔ）の第一の脚（ＳＬ１）の終点を画定し、
第二のインサート端面（５４ｂ）と第一および第二のインサート側面（５６ａ、５６ｂ）との交点に形成された第三および第四の周辺コーナー点（ＮＣ３、ＮＣ４）は、それぞれ、仮想鋭角台形（Ｔ）の第二の脚（ＳＬ２）の終点を画定し、
第一および第三の周辺コーナー点（ＮＣ１、ＮＣ３）は、鋭角台形（Ｔ）の短い底辺（ＢＳ）の終点を画定し、第二および第四の周辺コーナー点（ＮＣ２、ＮＣ４）は、鋭角台形（Ｔ）の長い底辺（ＢＬ）の終点を画定する、請求項１〜８のいずれか一項に記載の切削工具（２０）。
【請求項１０】
第一および第二のインサート端面（５４ａ、５４ｂ）は、第一のインサート側面（５６ａ）に向かって収束する、請求項１〜９のいずれか一項に記載の切削工具（２０）。
【請求項１１】
各インサート受容ポケット（２８）の背壁（３４）は、中央平面（Ｍ）に対して垂直である、請求項１〜１０のいずれか一項に記載の切削工具（２０）。
【請求項１２】
各切削インサート（３０）が前記インサート軸（Ａ１）を中心とした回転対称性を呈しない、請求項１〜１１のいずれか一項に記載の切削工具（２０）。
【請求項１３】
各インサート受容ポケットの背壁（３４）が前記回転方向（ＤＲ）に面する、請求項１〜１２のいずれか一項に記載の切削工具（２０）。
【請求項１４】
対向する上面および下面（４２、４４）と、それらの間に延在するインサート周面（４６）と、それを通って延在するインサート軸（Ａ１）とを備え、
前記下面（４４）は、軸受面（５０）と、それを横切る第一および第二の下部当接面（５２ａ、５２ｂ）を有し、
前記インサート周面（４６）は、対向する第一および第二のインサート側面（５６ａ、５６ｂ）によって離間された対向する第一および第二のインサート端面（５４ａ、５４ｂ）を有し、第一および第二の切れ刃（５８ａ、５８ｂ）は、それぞれ前記上面（４２）と前記第一および第二のインサート端面（５４ａ、５４ｂ）との交点に形成される、割出し可能な切削インサート（３０）において、
前記インサート軸（Ａ１）に垂直で、前記インサート周面（４６）と交差する水平面（ＰＨ）で取った断面では、
前記第一のインサート端面（５４ａ）と前記第一および第二のインサート側面（５６ａ、５６ｂ）との交点に形成される第一および第二の周辺コーナー点（ＮＣ１、ＮＣ２）は、それぞれ仮想鋭角台形（Ｔ）の第一の脚（ＳＬ１）の終点を画定し、
前記第二のインサート端面（５４ｂ）と前記第一および第二のインサート側面（５６ａ、５６ｂ）との交点に形成される第三および第四の周辺コーナー点（ＮＣ３、ＮＣ４）は、それぞれ前記仮想鋭角台形（Ｔ）の第二の脚（ＳＬ２）の終点を画定し、
前記第一および第三の周辺コーナー点（ＮＣ１、ＮＣ３）は、前記仮想鋭角台形（Ｔ）の短い底辺（ＢＳ）の終点を画定し、前記第二および第四の周辺コーナー点（ＮＣ２、ＮＣ４）は、前記仮想鋭角台形（Ｔ）の長い底辺（ＢＬ）の終点を画定し、
前記切削インサート（３０）の底面図では、
前記第一および第二の下部当接面（５２ａ、５２ｂ）は、鈍角の第一の傾斜角（α１）を形成し、前記仮想鋭角台形（Ｔ）の内側に位置する、切削インサート（３０）。
【請求項１５】
前記水平面（ＰＨ）は、前記下面（４４）よりも前記上面（４２）の近くに位置し、
前記水平面（ＰＨ）の下の前記切削インサート（３０）のいかなる部分も前記仮想鋭角台形（Ｔ）の外側に延在しない、請求項１４に記載の切削インサート（３０）。
【請求項１６】
前記底面図では、
前記第一および第二の下部当接面（５２ａ、５２ｂ）は、前記長い底辺（ＢＬ）に面する、請求項１４または１５に記載の切削インサート（３０）。
【請求項１７】
前記底面図では、
前記第一および第二の下部当接面（５２ａ、５２ｂ）にそれぞれ平行に延在する仮想的な第三および第四の直線（Ｌ３、Ｌ４）は、前記第一および第二の脚（ＳＬ１、ＳＬ２）にそれぞれ垂直である、請求項１４〜１６のいずれか一項に記載の切削インサート（３０）。
【請求項１８】
前記第一および第二の脚（ＳＬ１、ＳＬ２）は、第一および第二の横方向二等分線（ＢＬ１、ＢＬ２）によって二等分され、
前記第一および第二の横方向二等分線（ＢＬ１、ＢＬ２）は、鈍角の第二の傾斜角（α２）を形成し、
前記第二の傾斜角（α２）は、前記第一の傾斜角（α１）に等しい、請求項１４〜１７のいずれか一項に記載の切削インサート（３０）。
【請求項１９】
前記インサート軸（Ａ１）を含み、前記第一および第二のインサート側面（５６ａ、５６ｂ）と交差する垂直平面（ＰＶ）を中心とした鏡面対称性を呈する、請求項１４〜１８のいずれか一項に記載の切削インサート（３０）。
【請求項２０】
前記軸受面（５０）と前記第一および第二の下部当接面（５２ａ，５２ｂ）は、前記下面（４４）から突出する中央ボス（５１）上に形成される、請求項１４〜１９のいずれか一項に記載の切削インサート（３０）。
【請求項２１】
前記第一の傾斜角（α１）は、内角である、請求項１４〜２０のいずれか一項に記載の切削インサート（３０）。